(57)【特許請求の範囲】
【請求項１】
針を突出させているボスを一端に取り付けたバイアルであって、前記ボスは肩部を有する、該バイアルに使用し得る安全装置において、
前記バイアルの周りに摺動可能に整合して嵌着する寸法の開口を有するカラーと、
前記カラーから上方に、前記カラーおよび前記バイアルの本体の中心軸線に対して平行に突出するネック部材と、
前記カラーから遠方の前記ネック部材の端部に枢着されたハウジングと、
前記カラーの中心に向かう方向に前記ネック部材から延びる掛止め部材と、
を備え、
前記カラーを前記バイアルにおける前記ボスから遠方の端部に嵌着し、前記掛止め部材が前記バイアルの本体に接触した状態で前記カラーを前記ボスに向けて移動し、この移動は前記カラーが前記ボスに隣接するまで行い、また前記カラーが前記ボスに隣接して位置するとき前記掛止め部材が前記ボスの肩部に協働し、前記カラーを前記バイアルに固着する構成とした、
ことを特徴とするバイアルに使用し得る安全装置。
【請求項２】
前記掛止め部材を前記ネック部材に一体に構成し、
前記カラーを前記ボスに向け動かす際、前記掛止め部材が前記ボスの側部に沿って案内されるよう、前記カラーに対し前記ネック部材を可撓性にし、前記カラーを前記ボスに隣接するように動かした時、前記掛止め部材のリップが前記ボスの肩部に係止するよう構成した請求項１の安全装置。
【請求項３】
前記カラーが前記ボスに接近するように動き、前記掛止め部材が前記ボスの肩部に係止する位置に動いた後に、前記ボスが整合して嵌着する空間を前記掛止め部材と前記カラーとの間に、前記ネック部材に沿って生ずるよう、前記掛止め部材を前記ネック部材に沿う位置に一体にした請求項１の安全装置。
【請求項４】
一旦、前記カラーが前記ボスに対する所定位置に移動すると、前記掛止め部材が前記ボスの肩部に係止し得る位置に前記ネック部材が撓むよう、前記カラーに対し前記ネック部材を可撓性に構成し、
前記バイアルの縦軸線にほぼ一線の位置に前記ハウジングを回動した時、前記針が通る溝孔を前記ハウジングが具え、一旦、前記ハウジングが前記一線の位置に回動すると、前記ハウジングに対し、前記針を固着維持するため、前記ハウジングは更に少なくとも１個のロック手段を有し、
前記針と前記ハウジングとは一旦、相互に固着すると相互に作用し、前記ネック部材が撓んで前記ボスから離れるのを防止すると共に、前記掛止め部材が前記ボスの前記肩部から離脱するのを防止する請求項１の安全装置。
【請求項５】
前記ハウジングの内部に一体にしたフックを前記ロック手段が具え、一旦、前記ハウジングを前記一線の位置に回動し、前記針が前記フックを押圧し、次にこの針が前記フックによって保持されると、前記ハウジングに対し前記針を固着保持する請求項４の安全装置。
【請求項６】
前記ネック部材は前記カラーから直立して延びる可撓性直立部から成り、前記掛止め部材はその先端に突出するリップを具え、前記カラーが前記ボスに隣接するように動いた時、前記リップは前記ボスの肩部に係止する請求項１の安全装置。
【請求項７】
請求項１記載の安全装置において、前記バイアルを嵌入する空所を有するホルダとの組合せで使用する安全装置。
【請求項８】
前記掛止め部材は前記カラーの中心に向かう方向に前記ネック部材から一体に突出しており、前記カラーを前記ボスに向け動かす際、前記掛止め部材が前記ボスの側部に沿って案内されるよう、前記カラーに対し前記ネック部材を可撓性にし、前記カラーを前記ボスに隣接するように動かした時、前記掛止め部材が前記ボスの肩部に係止するよう構成した請求項７の安全装置。
【請求項９】
前記カラーが前記ボスに隣接するように動き、前記掛止め部材が前記ボスの肩部に係止する位置に動いた後に、前記ボスが整合して嵌着する空間を前記掛止め部材と前記カラーとの間に、前記ネック部材に沿って生ずるよう、前記掛止め部材を前記ネック部材に沿う位置に一体にした請求項７の安全装置。
【請求項１０】
前記ネック部材は前記カラーから突出する剛強支持フレームから成り、
前記掛止め部材は前記カラーから延びて前記支持部材の前記フレームの領域内に嵌合しており、前記カラーが前記ボスに向け移動する際、前記掛止め部材は前記ボスに沿って案内され、前記カラーが前記ボスに隣接するように移動した時、前記掛止め部材は前記ボスの肩部に係止するよう構成した請求項７の安全装置。
【請求項１１】
一旦、前記カラーが前記ボスに対する所定位置に移動すると、前記掛止め部材が前記ボスの肩部に係止し得る位置に前記ネック部材が撓むよう、前記カラーに対し前記ネック部材を可撓性に構成し、
前記バイアルの縦軸線にほぼ一線の位置に前記ハウジングを回動した時、前記針が通る溝孔を前記ハウジングが具え、一旦、前記ハウジングが前記一線の位置に回動すると、前記ハウジングに対し、前記針を固着維持するため、前記ハウジングは更に少なくとも１個のロック手段を有し、
前記針と前記ハウジングとは一旦、相互に固着すると相互に作用し、前記ネック部材が撓んで前記ボスから離れるのを防止すると共に、前記掛止め部材が前記ボスの前記肩部から離脱するのを防止する請求項７の安全装置。
【請求項１２】
前記バイアルの長さ方向に沿って摺動可能なガスケットと、
前記ホルダの長さに沿って摺動可能なプランジャとを具え、
前記プランジャを前記ボスに向け押圧した時、前記バイアル内に保管された流体を、前記針を通じて排出するため、前記ボスに隣接して位置する前記カラーと共に前記バイアルを前記ホルダの前記空所内に嵌着している時、前記ガスケットが前記プランジャに結合されている請求項７の安全装置。
【請求項１３】
前記ホルダは旋回し得るベース部材を更に具え、前記ベース部材が一方向に回転した時、このベース部材は前記ボスから遠方の前記バイアルの端部に接触し、これにより、前記バイアルに押圧力を加え、前記バイアル、及びこのバイアルに取り付けられた前記カラーとを前記ホルダの前記空所の内側に強制的に保持する請求項７の安全装置。
【請求項１４】
一端にボスを形成し、このボスから針を突出させたバイアルであって、前記ボスは肩部を有する、該バイアルに針保護ハウジングを取り付ける方法において、
バイアルの周りに摺動可能に整合して嵌着する寸法の開口を有するカラーから上方に、前記カラーおよび前記バイアルの本体の中心軸線に対して平行に突出するネック部材を通じて、前記ハウジングを前記カラーに取り付け、
前記カラーの中心に向かう方向に、前記ネック部材から掛止め部材を突出し、
前記バイアルの周りに前記バイアルにおける前記ボスから遠方の端部に前記カラーを嵌着し、
前記カラーが前記ボスから離れるように動くのを防止するよう、前記掛止め部材が前記バイアルの本体に接触した状態で前記カラーを前記ボスに向けて移動し、この移動は前記カラーが前記ボスに隣接して前記掛止め部材が前記ボスの肩部に係止するまで行う、
、ことを特徴とするバイアルに針保護ハウジングを取り付ける方法。
【請求項１５】
前記カラーに嵌着された前記バイアルをホルダ内に設置する工程と、前記バイアルに押圧力を加えるよう前記ホルダの一体の機構を作動させ、前記機構の作動によって前記バイアルを前記ホルダ内に確実に保持する工程とを更に具える請求項１４の方法。
【発明の詳細な説明】
【０００１】
関連出願
この出願は本発明の譲受人と同一の譲受人に譲渡された「バイアルに使用される針保護装置」の発明の名称の１９９９年１月１１日に出願された米国特許出願第09/227819 号に関連する。更に、この出願は代理人受理番号第0100/0089 号であって、本願の譲受人と同一の譲受人に譲渡予定の発明の名称「バイアルに使用するための針保護装置」の出願にも関連している。米国特許出願第09/227819 号、及び代理人受理番号第0100/0089 号に開示された詳細は本願に援用することによって、本願に組み込まれている。
【０００２】
発明の分野
本発明は針保護装置、また特に、バイアルから突出する針を一旦、使用すると、安全装置のハウジングを回動させて、汚れた針を包み込み、汚れた針が更に周囲に露出するのを防止することができ、バイアルに確実に連結される安全装置に関するものである。
【０００３】
発明の背景
ここに、「バイアル」と称するのは医療用の、例えば、血清、ワクチン等を入れるガラス容器のことである。チューベックス(Tubex) アプリケータ、及びカープジェットホルダ(Carpujet holder) アプリケータのようなアプリケータに使用するため、薬剤を収容するバイアルに使用する針保護装置は上述の米国特許出願第09/227819 号に開示されている。その関連装置の一つはバイアルのボス上に摺動して嵌着するカラーを有し、多数の突出指片によって、このカラーをバイアルのボスに取り付ける。また、他方の装置はバイアルの周りに取り付ける開放カラーを有する。カラーから延びる１対の連動延長部は協働して、カラーをバイアルの周りに取り付ける。これ等の装置は良く作動するが、バイアルに確実に結合するため、バイアル自身の構造の利点、及びバイアルとホルダアプリケーションとの間の相互作用の利点の十分な活用を達成していない。また代理人受理番号0100/0089 号の係属中の出願はバイアルの周りに嵌着したカラーを取り付けるための手段として、バイアルのボスを使用することを開示している。本発明はバイアルの本来の特性を考慮し、また、バイアルのボスをバイアルに取り付けるため、バイアルと、そのボスとの間の関係を考慮した他の針安全装置を開示する。
【０００４】
本発明の要約
本発明安全装置は薬剤のような流体を収容するバイアル、又はカプセルの本体の周りに整合嵌着しうる寸法を有するカラーを有する。所定の長さを有する寸法のネック部材をカラーから突出する。ネック部材の他端に可撓性に一体にハウジングを設け、一旦、カラーをバイアルに適切に嵌着し、バイアルの縦軸線に沿ってほぼ一線になる位置にハウジングを回動し、バイアルの端部に形成されたボスから突出する針を包み込む。
【０００５】
代表的な薬剤収容バイアルの本来の特性を考慮し、本発明安全装置のネック部材は掛止め部材を突出して有する形態であり、この掛止め部材はリップを有し、カラーをバイアルの本体の周りに嵌着して、バイアルのボスに隣接するまで、バイアルの長さ方向に沿って、カラーを動かした後は、ボスの頂部、又は肩部にリップを係止し、本発明安全装置をバイアルに固着する。
【０００６】
このことは可能であり、それは、この安全装置はプラスチック材料で作られており、ネック部材に所定の弾性特性、又は可撓性特性を与えるから、カラーをボスに隣接する位置に押圧している際、ネック部材はボスの側壁に、案内するように接触しているからである。カラーがボスに隣接する所定の位置に一旦、位置すると、ネック部材の弾性特性によって、このネック部材はカラーに対するその原位置に復帰するから、ネック部材から突出する掛止め部材はこの時点で、ボスの頂部、即ち肩部にスナップして係止する。このように一旦、取り付けられると、汚れた針が更に周囲に露出するのを防止するため、ネック部材に撓むように連結されたハウジングを汚れた針に向け回動し、汚れた針をハウジングによって覆う。次に、ハウジングに一体になっているロック機構により針を所定位置に固着保持する。
【０００７】
可撓性のネック部材に代わり、本発明の第２実施例では、安全装置のカラーから突出するほぼ剛強な支持フレームを利用する。また、支持フレームの領域内のカラーから可撓性の掛止め部材を突出し、バイアルに沿って、ボスに隣接する適切な位置まで、カラーを動かした時、可撓性の掛止め部材はバイアルのボスにスナップして係止する。この剛強支持フレームはカラーを種々のバイアルに嵌着するのに大きな公差が許されるので種々の寸法のバイアルに使用することができる。
【０００８】
上に説明した本発明の両方の実施例は例えばカープジェットアプリケータのようなホルダアプリケータに適合している。一旦、ホルダの空所内に堅く着座させた後、アプリケータに一体の機構を作動させて、押圧力をバイアルに加え、ホルダ内にバイアルを取り付け、これにより更にバイアルにカラーを取り付ける。
【０００９】
従って、本発明の目的は通常のバイアル、又はカプセルに確実に嵌着し得る針保護装置を得るにある。
【００１０】
また、本発明の他の目的は通常のホルダアプリケーションに、容易に使用し得るバイアルの針保護装置を得るにある。
【００１１】
更に、本発明の目的はバイアルに一旦、嵌着すれば、バイアルから容易に外れることのない針安全装置を得るにある。
【００１２】
添付図面を参照する次の本発明の実施例の説明により、本発明の上述の目的、及び利点は一層良く理解することができるであろう。
【００１３】
発明の詳細な説明
図１〜図４において、本発明の安全装置２は開口６を形成するカラー４を有し、この開口６の寸法は図７、及び図８に例示する容器、即ちバイアル１０の本体８のようなバイアル、またはカプセルの本体の周りに、整合して嵌着する寸法を有する。ネック部材１２はカラー４から一体に延びる。カラー４から離れるように、ネック部材１２の端部に、ハウジング、又はシース１４を撓むように連結し、又は蝶着する。図５に明示するようなリビングヒンジ１６によって、ハウジング１４をネック部材１２に一体に連結する。従って、図２に示すように、ハウジング１４は方向矢１８によって示す方向に沿って、ヒンジ１６の周りに回動可能である。
【００１４】
図５に明示するように、掛止め部材２０をネック部材１２に一体に形成し、掛止め部材２０をカラー６の中心に向く方向に延在させる。図面に示すように、掛金部材２０の最下延長部にリップ２２を設ける。更に、図１、及び図４に示すように、掛止め部材２０は半円形の外面、即ち凹形の外面を有する形態であり、この形態により、バイアル１０の本体８の外周面、及び本体８の上端に形成されたボスの外周面に対する嵌合部を一層、良好に形成する。
【００１５】
弾性的な特性を有するよう成型した、即ち製造されたネック部材１２はバイアル１０の本体８の縦軸線にほぼ平行な所定の軸線に沿って延在している。外力によって押圧されない限り、ネック部材１２はその成型された位置を維持する。従って、ネック部材１２が外力によって押された時でも、一旦、その力を取り除くと、可撓性があるので、ネック部材１２はその最初に配置された原位置に弾発的に復帰する。
【００１６】
更に、図１、及び図４において、ハウジングの長さ方向に沿ってほぼ縦方向に延在する溝孔２４をハウジング１４に設ける。従って、ハウジング１４が矢印１８の方向に回動すると、バイアル１０のボス２８から突出する針２６などを溝孔２４に通すことができる。図７参照。ハウジング１４に、例えばフック３０、３１のような多数のロック手段を一体に形成する。図６に示すような例えば各フック３１に押圧把持チップ３４を設ける。
【００１７】
安全装置２とバイアル１０との間の相互関係、特に、バイアル１０に対する安全装置２の整合を図７、及び図８に示す。図７、及び図８に示すようなバイアルの本体８に対する最終位置に達するため、安全装置２のカラー４をバイアルの下端部に、即ちバイアルの本体８のガラスの下端にまず設置する。次に、カラー４をバイアルの本体８に整合、嵌着させて、本体８に沿ってボス２８に向け、整合して滑らせ、図７、及び図８に示すように、ボス２８に隣接する位置まで動かす。安全装置２がプラスチック材料で造られており、ネック材料１２が可撓性になる弾性特性を有するように造られているので、掛止め部材２０が本体２０に接触するようになると、掛止め部材がネック部材から突出しているため、その分だけ、ネック部材１２は本体８から離れるように押されて撓む。カラー４がボス２８に向け動かされる際、掛止め部材２０は本体８と接触して案内される状態のままである。掛止め部材２０がバイアルの本体２０の側面に接触するに到ると、ネック部材１２をバイアルの本体２０から一層離すように撓ませ、カラー４はボス２８に向け、引き続いて押圧される。
【００１８】
弾性があるカラー４がボス２８に隣接して位置し、掛止め部材２０のリップ２２がボス２８の肩部３２に位置している図７、及び図８に示す位置では、ネック部材１２はスナップして、撓んでその原位置に戻り、掛止め部材２０をボス２８の肩部３２に協働させ、これにより掛止め部材２０のリップ２２を肩部３２に係止させる。その結果、カラー４はバイアルの本体８、及びそのボス２８に固着される。使用者がネック部材をボス２８から離すように押そうとしない限り、カラー４は本体８から除去されない。
【００１９】
バイアルの本体８、及びボス２８に固着されていても、カラー４、即ち安全装置２は本体８の周りに回転することができることに注意すべきである。更に、ネック部材１２は所定の長さを有するように製造されているから、一旦、ネック部材１２がスナップしてその原位置に復帰し、掛止め部材２０がボス２８の肩部に係止している場合でも、掛止め部材２０をカラー４から引き離して、空間を形成し、その中にボス２８が良好に嵌合するよう、ネック部材１２に沿って、十分な距離が存在する。
【００２０】
図７、及び図８に示す位置をカラー４が一旦、占めた時、例えば針２６のような汚れた針がなお周囲に露出しているのを防止するためには、使用者は矢印１８によって示す方向に、ハウジング１４を回動するだけでよい。バイアル１０の本体８の縦軸線に沿ってほぼ一線をなす位置に、ハウジング１４を一旦、動かすと、フック３０、３２のチップ３２はまず、針２６を押圧し、次に針をロックするように把持し、これにより針２６をハウジング１４内に固着保持する。
【００２１】
このようにして、ハウジング１４が針２６に対して、一旦、固定されて位置した時、使用者が動かそうとしない限り、も早、ネック部材１２はボス２８から離れるように押圧されないから、安全装置２はバイアル１０に対し恒久的に固着される。これは、針２６が安全装置２をバイアルの本体８、及びボス２８に繋止するように作用し、ネック部材１２が更に撓むのを防止するからである。
【００２２】
他の実施例を図９、及び図１０に示す。図１〜図８に図示した部材と同一の図９、及び図１０の部材は前に使用したのと同一の符号にて示す。ネック部材１２の代わりに、図９、及び図１０に示す実施例はカラー４から突出する支持フレーム部材３４を有する。ネック部材１２の場合の無垢にする代わりに、支持部材３４は開口３６を構成する支持体であり、ほぼ剛強部材として構成される。
【００２３】
また、カラー４から細長部材３８を突出させ、リップ部４２を有する掛止め部材４０を細長部材３８に設ける。図１０に明示するように、細長部材３８は可撓性の形態を有し、従って、矢印４４ａ、４４ｂによって若干、誇張して示すが、細長部材は支持フレーム３４に対して、両方向に撓むことができる。剛強な支持フレーム部材３４と、可撓性の細長い掛止め部材４０とを設けることによって、図９、及び図１０に示す安全装置の実施例は種々の寸法のボスを有するバイアルに広く使用することができる。
【００２４】
支持フレーム３４をカラー４から直立して突出するように示したが、それが剛強部材であれば、実際上、支持フレーム３４はカラー４から若干ずれて突出してもよく、これにより、カラー４をバイアル１０の本体８上を摺動し易くすることができる。細長部材３８が可撓性で、カラー４に対し直立状態に自然に突出するように成型され、形成されている限り、カラー４がバイアル１０の本体８に沿って縦方向に整合して摺動する際、掛止め部材４０はバイアルの本体８の側面、ひいてはボス２８によって、撓んで案内され続ける。前に説明した実施例の場合のように、一旦、カラー４がボス２８に隣接して適正に位置すると、細長部材３８はスナップして、その原形状に復帰し、掛止め部材４０のリップ４２はボス２８の肩部３２に協働し、リップ４２はボス２８に係止し、ボス２８に対してカラー４を固定保持する。
【００２５】
図１１は本発明安全装置に嵌着したバイアルと、例えば「カープジェットアプリケータ」のようなホルダアプリケータとの相互関係を示す。図面に示すように、ホルダ４６は空所５０を有する細長いハウジング４８を有する。この図面を見ている人の方向に向くハウジング４８の側面を周囲に対し開放し、その反対側に孔５２を形成する。ハウジング４８の先端には開口、又はチャネル５４を設ける。ハウジング４８の他端を指把持ベース５６に取り付ける。孔（図示せず）をベース５６に貫通する。
【００２６】
ベース５６の孔にシリンダ５８を挿入する。このシリンダ５８はベース５６の形状にほぼ類似する形状を有する他のベース６０から突出している。シリンダ５８は溝６２を有し、この溝６２はベース５６の孔の内面に形成された突起（図示せず）に整合しており、これにより、ベース６０の回転に同期して、シリンダ５８が回転する時、このシリンダ５８を案内する。外力が加わらないのに、シリンダ５８がその両極限端部位置のいずれかに向け回転しようとする時、この突起（図示せず）によってその位置にロックされる。
【００２７】
シリンダ５８の長さ方向に沿って、他の孔（図示せず）を延在させる。シリンダ５８の孔に通して、ベース６０に自由に連結されたロッド６４はホルダ、即ちハウジング４８の長さに沿って、移動することができる。バイアル１０の本体８内に摺動可能に嵌合された弾性ガスケット７２に嵌着したねじ７０に螺合するめねじ６８を有するヘッド６６をロッド６４に設ける。
【００２８】
作動に当たり、一旦、カラー４に嵌着したバイアル１０の本体８をホルダ、即ちハウジング４８の空所５０内に設置する。バイアルの本体８を空所５０内に位置させる前に、ロッド６４をその最大除去位置まで引き出し、ベース６０を反時計方向（又は時計方向）の釈放方向に回転し、シリンダ５８をその最下位置まで下降させる。
【００２９】
一旦、バイアルの本体８を空所５０内に入れ、ロッド６４を動かして、弾性ガスケット７２のねじ７０にヘッド６６のめねじ６８を螺着する。一旦、このようにしてから、ベース６０を時計方向（又は反時計方向）のロック方向に回転し、押圧力をバイアル１０の本体８に加える。バイアル１０がホルダ４８の空所５０内に位置し、（針２６がチャネル５４に貫通していて）ボス２８がホルダ４８の前端７４に押圧されているものとすると、ベース６０をその極限ロック位置に回転することによって、カラー４に適切に嵌着したバイアル１０はホルダ４８内に固定保持される。
【００３０】
バイアル１０の本体８内に保管された流体を排出させるため、使用者は前端７４に向く方向にロッド６４を押圧し、バイアル１０の本体８内の弾性ガスケット７２をボス２８に向け押す。バイアルの本体８内に保管された薬剤を排出し、針２６を患者から抜いた後、汚れた針２６が周囲に露出されるのを防止するため、ハウジング１４を矢印１８の方向に沿って回動し、針２６を包み込み、それから、この針をハウジング１４のロック手段３２によって、所定位置に保持する。
【００３１】
バイアルを廃棄するため、上に説明したようなベース６０、及びロッド６４の作動に関して、反対のプロセスを行う。即ち、ベース６０をその極限釈放位置に回転し、シリンダ５８をその最下位置に下降させる。次に、ロッド６４を回転し、ヘッド６６をねじ７０から釈放する。ロッド６４をガスケット７２から更に後退させると、バイアル１０をハウジング４８の空所５０の外に持ち上げ、適切な方法で捨てることができる。
【００３２】
本発明は細部にわたり、変更、修正、及び改良を加えることができることは明らかである。例えば、図１１に示すホルダアプリケータはバイアルに保管した薬剤を患者に注射するために使用するように説明したが、空のバイアルを使用して患者から身体の流体を引き出すこともできる。更に、バイアルのガラス端の周りに嵌合するように、本発明の安全装置を開示したが、バイアルのボスから針が突出しているバイアルの端部を介して、バイアルの本体に、本発明安全装置のカラーを嵌合できるように、このカラーの寸法を定めてもよい。これを達成するため、例えば、一部を切除した弾性リングのような押圧手段をカラー４の内側に嵌着して、カラー４の内径を変化させ、バイアルの針側の端部からバイアルの本体の周りに嵌着し得るようにする。従って、本明細書を通じて記載し、添付図面に図示した全ての要旨は単なる例示であって、本発明を限定するものでない。従って、本発明の範囲は特許請求の範囲に記載した通りである。
【図面の簡単な説明】
【図１】  本発明安全装置の上方から見た平面図である。
【図２】  図１の安全装置の一部を切除した断面図である。
【図３】  図１の安全装置の側面図である。
【図４】  本発明安全装置の斜視図である。
【図５】  本発明安全装置の掛止め部材、及びネック部材の拡大断面図である。
【図６】  図３の６−６線上の断面図である。
【図７】  本発明安全装置に嵌着したバイアルの側面図である。
【図８】  本発明安全装置に嵌着したバイアルの斜視図である。
【図９】  本発明安全装置の他の実施例の前面図である。
【図１０】  図９の安全装置の側面図である。
【図１１】  本発明安全装置の更に他の実施例において、ホルダアプリケータを示すと共に、その上に嵌着したバイアルにこのホルダアプリケータはどのように関係するかを示す図である。
【図１】
0004971574.tif 000002
【図２】
0004971574.tif 000003
【図３】
0004971574.tif 000004
【図４】
0004971574.tif 000005
【図５】
0004971574.tif 000006
【図６】
0004971574.tif 000007
【図７】
0004971574.tif 000008
【図８】
0004971574.tif 000009
【図９】
0004971574.tif 000010
【図１０】
0004971574.tif 000011
【図１１】
0004971574.tif 000012